(57)【要約】【課題】  少ない光源であっても意匠の見栄えを良好にすることができる表示部材及び表示装置を提供する。【解決手段】  導光文字板１０は、光Ｌａを透過して意匠を表示する指標意匠部１２１ａと、この指標意匠部１２１ａよりも光Ｌａの入光部１１１ａから離れた位置に配設され、光Ｌａを透過して意匠を表示する遠方意匠部１２１ｃと、遠方意匠部１２１ｃ及び指標意匠部１２１ａに対応した位置に配設され、光Ｌａを拡散する光拡散部１３と、を備え、面積が大きい光拡散部１３を有する指標意匠部１２１ａ近傍に配設される遠方意匠部１２１ｃ（遠方意匠補正部１２１ｄ）は、補正光拡散部１３ａを有し、補正光拡散部１３ａの入光部１１１ａに向かう方向の幅Ｄ１１を、遠方意匠部１２１ｃに設けられる補正光拡散部１３ａ以外の光拡散部１３の幅Ｄ２１より太く形成する。【選択図】  図８
2015004529.tif 000002
【特許請求の範囲】
【請求項１】
光源からの光を内部に取り込む入光部と、
前記入光部から取り込んだ光を導光する面状の導光部と、
前記導光部により導光した光を透過して意匠を表示する光透過射出部と、
前記光透過射出部よりも前記入光部から離れた位置に配設され、前記導光部により導光した光を透過して意匠を表示する遠方光透過射出部と、
前記光透過射出部及び前記遠方光透過射出部に対応した位置に配設され、前記導光部により導光される光を拡散する光拡散部と、を備える表示部材において、
面積が大きい前記光拡散部を有する前記光透過射出部近傍に配設される前記遠方光透過射出部は、補正光拡散部を有し、
前記補正光拡散部の前記入光部に向かう方向の幅は、前記遠方光透過射出部に設けられる前記補正光拡散部以外の前記光拡散部の幅より太く形成してなることを特徴とする表示部材。
【請求項２】
前記遠方光透過射出部の幅は、前記遠方光透過射出部に対応して配設される前記光拡散部の幅によらず一定であり、前記遠方光透過射出部に設けられる前記補正光拡散部以外の前記光拡散部の幅よりも太くすることを特徴とする請求項１に記載の表示部材。
【請求項３】
前記遠方光透過射出部の幅は、前記補正光拡散部の幅よりも細くすることを特徴とする請求項２に記載の表示部材。
【請求項４】
前記入光部は、前記導光部に設けられた貫通穴の内壁に設けられ、
前記光透過射出部及び前記遠方光透過射出部は、前記貫通穴を略中心とした円または円弧状に配設されることを特徴とする請求項１乃至３のいずれかに記載の表示部材。
【請求項５】
前記遠方光透過射出部よりも前記入光部から離れた位置に、前記遠方光透過射出部に沿う穴部を設けることを特徴とする請求項１乃至４のいずれかに記載の表示部材。
【請求項６】
前記遠方光透過射出部は、前記導光部の前面側に周囲の色とは異なる色を有する透光性材料により形成されることを特徴とする請求項１乃至５のいずれかに記載の表示部材。
【請求項７】
請求項１から６のいずれかに記載の表示部材と、光を射出する光源と、前記表示部材が有する意匠を指示する発光指針と、前記光源及び前記発光指針を制御する制御部を有する回路基板と、前記表示部材の表側に配設される光透過率の低い光調整パネルと、を設けることを特徴とする表示装置。
【請求項８】
光を射出する光源と、前記光源を制御する制御部を有する回路基板と、
前記光源からの光を内部に取り込む入光部、前記入光部から取り込んだ光を導光する面状の導光部、前記導光部により導光した光を透過して意匠を表示する光透過射出部、前記光透過射出部よりも前記入光部から離れた位置に配設され、前記導光部により導光した光を透過して意匠を表示する遠方光透過射出部、前記遠方光透過射出部に沿って前記遠方光透過射出部よりも前記入光部から離れた位置に設けられる穴部、前記光透過射出部及び前記遠方光透過射出部に対応した位置に配設され、前記導光部により導光される光を拡散する光拡散部と、を有し、面積が大きい前記光拡散部を有する前記光透過射出部近傍に配設される前記遠方光透過射出部は、補正光拡散部を有し、前記補正光拡散部の前記入光部に向かう方向の幅を、前記遠方光透過射出部に設けられる前記補正光拡散部以外の前記光拡散部の幅より太くする表示部材と、
前記回路基板と前記表示部材との間に前記表示部材を支持するケース体と、を備え、
前記ケース体は、前記穴部に挿入する表側に突設した挿入部を設け、太く形成された前記補正光拡散部近傍に配設される前記挿入部は、前記導光部内を進行する光を反射させる反射部を設けることを特徴とする表示装置。
【発明の詳細な説明】
【技術分野】
【０００１】
本発明は、光源から射出された光を表示部材にて導光して意匠表示部等を有する表示部材と、自動車などに搭載される表示装置に関するものである。
【背景技術】
【０００２】
従来の表示部材は、特許文献１に開示されており、光源から射出された光を導光し、表面に印刷された遮光層の切り欠き箇所で形成される意匠表示部から光を射出することで、所定の意匠を表示する導光板であって、意匠表示部に対応した箇所に光拡散部を設け、この光拡散部により意匠表示部に対応した箇所のみ光を拡散することで意匠表示部から光を射出し、意匠表示部に対応しない箇所では光を拡散させないことで意匠表示部以外から光を射出させないようにし、少ない光源であっても効率よく光を導光板内で導光させ、光源から離れた意匠でも明るく表示させるものである。
【先行技術文献】
【特許文献】
【０００３】
【特許文献１】特開２０１１−２３７６９２号公報
【発明の概要】
【発明が解決しようとする課題】
【０００４】
しかしながら、従来の表示装置は、図１１に示すように、表示部材内を進行する光源からの光Ｌａを射出して光輝する意匠表示部５１０として、目盛や数字などを示す指標意匠部５１１と、これら指標意匠部５１１よりも光源から離れた位置に設けられ、表示を加飾するリング状の加飾意匠部５１２と、を有する場合、光Ｌａの多くが光射出面積の大きい大目盛りである指標意匠部５１１ａから射出されるため、光射出面積の大きい指標意匠部５１１ａよりも光源から離れた位置（放射方向）にある加飾意匠部５１２ａは、他の加飾意匠部５１２ｂに比べて暗くかつ細く見えてしまい、表示装置としての見栄えが損なわれるおそれがあった。
【０００５】
そこで本発明は、上記問題点を解消し、少ない光源であっても意匠の見栄えを良好にすることができる表示部材及び表示装置を提供することを目的とするものである。
【課題を解決するための手段】
【０００６】
前述した課題を解決するための本願の第１の発明における表示部材は、光源からの光を内部に取り込む入光部と、前記入光部から取り込んだ光を導光する面状の導光部と、前記導光部により導光した光を面方向に透過して意匠を表示する光透過射出部と、前記光透過射出部よりも前記入光部から離れた位置に配設され、前記導光部により導光した光を面方向に透過して意匠を表示する遠方光透過射出部と、前記光透過射出部及び前記遠方光透過射出部に対応した位置に配設され、前記導光部により導光される光を拡散する光拡散部と、を備える表示部材において、前記遠方光透過射出部に対応して配設される前記光拡散部は、該遠方光透過射出部近傍の前記光透過射出部に対応して設けられる前記光拡散部の面積が大きい場合、前記入光部に向かう方向の幅を、他の前記光拡散部の幅より太くするものである。
【０００７】
また、本願の第２の発明における表示装置は、前記表示部材と、光を射出する光源と、前記表示部材が有する意匠を指示する発光指針と、前記光源及び前記発光指針を制御する制御部を有する回路基板と、前記表示部材の表側に配設される光透過率の低い光調整パネルと、を設けるものである。
【発明の効果】
【０００８】
少ない光源であっても意匠の見栄えを良好にすることができる表示部材及び表示装置を提供する。
【図面の簡単な説明】
【０００９】
【図１】本発明の第１実施形態における表示装置の分解斜視図である。
【図２】上記実施形態における導光文字板の正面図である。
【図３】上記実施形態における導光文字板各領域の説明図である。
【図４】上記実施形態における表示装置の正面図である。
【図５】上記実施形態におけるケース体の正面図である。
【図６】上記実施形態における表示装置の断面図であり、図４のＡ−Ａ’断面図である。
【図７】上記実施形態における導光体の説明図であり、（ａ）は導光体の斜視図であり、（ｂ）は表示装置に組み込んだ際の導光体の断面図であり、（ｃ）は導光体の文字板方向反射部の形状を説明した図である。
【図８】上記実施形態における導光文字板の構成を説明した図である。
【図９】上記実施形態における導光文字板の構成を説明した図である。
【図１０】上記実施形態における導光文字板の構成を説明した図である。
【図１１】従来の表示装置を説明する図である。
【発明を実施するための形態】
【００１０】
以下に、本発明の表示装置１の実施形態を、図１を用いて説明する。図１は、本実施形態における表示装置１の分解斜視図である。本発明の表示装置１は、導光文字板１０と、ケース体２０と、導光体３０と、指針４０と、回路基板５０と、光源６０と、ムーブメント７０と、装飾部材８０と、表示器９０と、から構成され、車両側から出力される車速やエンジン回転数等の車両情報を示す車両信号に基づき、指針４０が回動するものであり、光源６０の発する光により、導光文字板１０と指針４０が光輝するものである。
【００１１】
（導光文字板（表示部材））
まず、本発明の表示装置１における導光文字板（表示部材）１０について、図２〜図４を用いて説明する。図２は、本実施形態における導光文字板１０の正面図であり、図３は、本実施形態における導光文字板１０の各領域を説明する図であり、図４は、本実施形態における表示装置１の正面図である。
【００１２】
導光文字板（表示部材）１０は、後述するムーブメント７０に設けられた指針軸７１とケース体２０に設けられた第１遮光壁２３が挿入する指針軸挿通孔１１１と、後述するケース体２０に設けられた第２遮光壁２４を挿入する第１挿入部（特許請求の範囲における穴部）１１２と、後述するケース体２０に設けられた第３遮光壁２５を挿入する第２挿入部（特許請求の範囲における穴部）１１３と、を有する。
【００１３】
導光文字板１０が後述するケース体２０（図５）の載置部２２に載置されることで、指針軸挿通孔１１１には指針軸７１と第１遮光壁２３が挿入され、第１挿入部１１２には第２遮光壁２４が挿入され、第２挿入部１１３には第３遮光壁２５が挿入される。
導光文字板１０の前面側からは、指針軸挿通孔１１１を挿通する指針軸７１に指針４０が嵌合され、さらに第１挿入部１１２（及びこれに挿入された第２遮光壁２４）と第２挿入部１１３（及びこれに挿入された第３遮光壁２５）とを覆うようにリング状の装飾部材８０が取り付けられることで、導光文字板１０は表示装置１内に組み付けられる（図４）。
なお、本明細書において、導光文字板１０における第１挿入部１１２及び第２挿入部１１３により区画される領域を内側表示領域Ｅ１とし、第１挿入部１１２及び第２挿入部１１３の外側の領域を外側表示領域Ｅ２（図３（ｃ））と、表現するものとする。
また、内側表示領域Ｅ１のうち、後述する第１光透過射出部１２１が配置される図３（ａ）に示すような領域を、第１の内側表示領域Ｅ１ａとし、後述する第１光透過射出部１２１が配置されない図３（ｂ）に示すような領域を、第２の内側表示領域Ｅ１ｂと、表現するものとする。
導光文字板１０は、第１挿入部１１２により指針軸挿通孔１１１を中心として全周を区画することはなく、図３（ａ）に示すように第１挿入部１１２それぞれの間に連結部１１２ａを有する。これにより導光文字板１０の内側表示領域Ｅ１と外側表示領域Ｅ２とを連続した部材で構成できる。
【００１４】
導光文字板１０は、第１の内側表示領域Ｅ１ａに設けられて導光文字板１０内を進行する第１光源６１が射出する第１の光Ｌａを射出することで光輝する第１光透過射出部１２１と、外側表示領域Ｅ２に設けられて導光文字板１０の裏面に配設される第２光源６２が射出する第２の光Ｌｂを射出することで光輝する第２光透過射出部１２２と、第２の内側表示領域Ｅ１ｂに設けられ、導光文字板１０の裏面に配設される第３光源６３が射出する第３の光Ｌｃを射出することで光輝する第３光透過射出部１２３と、導光文字板１０の裏面に配設される表示器９０を視認可能とする透光性の表示窓１２４と、を有し、これら第１光透過射出部１２１，第２光透過射出部１２２，第３光透過射出部１２３，表示窓１２４により視認者に情報を伝達する。なお、導光文字板１０の表示装置１における作用と、具体的な構成については、後に説明する。
【００１５】
（ケース体）
つづいて、図５，図６を用いて本実施形態におけるケース体２０を説明する。図５は、ケース体２０の正面図であり、図６は、本実施形態における表示装置１の断面図であり、図４のＡ−Ａ’断面図である。
【００１６】
ケース体２０は、例えば白色の合成樹脂材料からなり、導光文字板１０と後述する回路基板５０との間に配設され、導光文字板１０を支持固定するものである。
ケース体２０は、図５に示すように、第１光源６１及び導光体３０を区画する貫通孔からなる第１仕切り部２１と、導光文字板１０を載置する載置部２２と、第１仕切り部２１のうち、導光文字板１０の第１光透過射出部１２１がない方向に形成され、載置部２２より表側（視認者側）に突設した第１遮光壁２３と、第１仕切り部２１を中心として円弧状に形成され、載置部２２より表側に突設した第２遮光壁２４と、この第２遮光壁２４同士の間の隙間である切り欠き部２４ａと、切り欠き部２４ａの隙間を阻むように配設された第３遮光壁２５と、外側表示領域Ｅ２に配設される第２光源６２を区画する貫通孔からなる第２仕切り部２６と、内側表示領域Ｅ１に配設される第３光源６３を区画する貫通孔からなる第３仕切り部２７と、液晶パネルなどの表示器９０を挿入する貫通孔からなる表示器装着孔２８と、を有するものである。
【００１７】
第１仕切り部２１は、図６に示すように、貫通孔で形成され、第１光源６１及び導光体３０を区画するものであり、第１光源６１から発せられる光及び導光体３０から漏れた光を反射するものである。
【００１８】
載置部２２は、導光文字板１０及び回路基板５０と略平行になるように形成され、導光文字板１０の裏面と接触した状態で導光文字板１０を保持するものである。また、載置部２２は、導光文字板１０の裏面側から漏れる第１の光Ｌａを反射し、導光文字板１０内に第１の光Ｌａとして戻し、導光文字板１０内を進行する第１の光Ｌａが第１光透過射出部１２１以外から抜けてしまうのを防止する。
【００１９】
第１遮光壁２３は、第１仕切り部２１のうち、導光文字板１０の第１光透過射出部１２１が配設されない領域（第２内側表示領域Ｅ１ｂ）に載置部２２より表側に突設するものであり、後述する導光体３０の文字板方向射出部３４から導光文字板１０の内壁入光部１１１ａへ射出する第１の光Ｌａを遮断するものである。第１遮光壁２３は、第１の光Ｌａを導光体３０側へ反射するように反射部材で形成されることが望ましい。
第１遮光壁２３は、表示装置１の組み付けにより同様の位置に配設されるものであれば、ケース体２０とは異なる部材としてもよい。例えば、指針４０を照明した際に発生するハレーションを防止するカラー部材（図示しない）により形成されてもよい。
【００２０】
第２遮光壁２４は、第１仕切り部２１を中心として円弧状に形成され、載置部２２より表側に突設し、導光文字板１０の第１挿入部１１２に挿入されるものである。
第２遮光壁２４のうち、第１内側表示領域Ｅ１ａに含まれる領域には、図６に示すように、導光文字板１０内を進行する第１の光Ｌａを反射光Ｌｄとして反射する第１の反射面２４ｐを有する。第１の反射面２４ｐは、第１の光Ｌａを反射光Ｌｄとして導光文字板１０の方向へ反射し、この反射光Ｌｄが第１光透過射出部１２１から射出されることにより、第１光透過射出部１２１をより明るく光輝させることができる。
また、第２遮光壁２４のうち、第２内側表示領域Ｅ１ｂに含まれる領域には、導光文字板１０内を進行する第１の光Ｌａを反射光Ｌｄとして反射させない第１の非反射面（図示しない）を有する。第１の非反射面は、第２遮光壁２４を暗色系に着色することにより形成され、第１の光Ｌａを反射光Ｌｄとして導光文字板１０方向へ反射させないことにより、第２内側表示領域Ｅ１ｂに配設される第３光透過射出部１２３及び表示窓１２４から反射光Ｌｄが射出されるのを防止し、第３光透過射出部１２３及び表示窓１２４が光輝してしまうのを抑制することができる。
【００２１】
切り欠き部２４ａは、第２遮光壁２４同士の間の隙間であり、この切り欠き部２４ａを設けることにより、導光文字板１０に連結部１１２ａを設けることができ、導光文字板１０において、内側表示領域Ｅ１と外側表示領域Ｅ２とを連結部１１２ａにより連結させることができる。
切り欠き部２４ａは、後述する遠方意匠補正部１２１ｄ近傍を避けて配設される。斯かる構成により、切り欠き部２４ａによって反射光Ｌｄの光量が、第１遮光壁２３による反射光Ｌｄの光量よりも小さくなってしまうことに起因して、遠方意匠補正部１２１ｄの輝度が部分的に低下してしまうのを抑制することができる。
【００２２】
第３遮光壁２５は、ケース体２０の切り欠き部２４ａの隙間を阻むように配設されたものであり、載置部２２より視認者側に突設し、導光文字板１０の第２挿入部１１３に挿入されるものである。第３遮光壁２５のうち、第１内側表示領域Ｅ１ａに含まれる領域には、導光文字板１０内を進行する第１の光Ｌａを反射光Ｌｄとして反射する第２の反射面（図示しない）を有する。
また、第３遮光壁２５のうち、第２内側表示領域Ｅ１ｂに含まれる領域には、導光文字板１０内を進行する第１の光Ｌａを反射光Ｌｄとして反射させない第２の非反射面（図示しない）を有する。第２の非反射面は、第３遮光壁２５を暗色系に着色することにより形成され、第１の光Ｌａを反射光Ｌｄとして導光文字板１０方向へ反射させないことにより、第２内側表示領域Ｅ１ｂに配設される第３光透過射出部１２３及び表示窓１２４から反射光Ｌｄが射出されるのを防止し、第３光透過射出部１２３及び表示窓１２４が光輝してしまうのを抑制することができる。
【００２３】
第２仕切り部２６は、導光文字板１０の外側表示領域Ｅ２に配設された第２光透過射出部１２２を照明する第２光源６２を区画する貫通孔で形成されるものであり、第２光源６２からの第２の光Ｌｂを導光文字板１０の方向へ反射するものである。
【００２４】
第３仕切り部２７は、導光文字板１０の内側表示領域Ｅ１に配設された第３光透過射出部１２３を照明する第３光源６３を区画する貫通孔で形成されるものであり、第３光源６３からの第３の光Ｌｃを導光文字板１０の方向へ反射するものである。
【００２５】
表示器装着孔２８は、液晶パネルなどの表示器９０を挿入する貫通孔で形成されるものである。
【００２６】
（導光体）
つづいて、図７を用いて、導光体３０を説明する。
図７（ａ）は、本実施形態における導光体３０の斜視図であり、図７（ｂ）は、本実施形態における表示装置１の断面図である。
導光体３０は、後述する第１光源６１を収納する収納部３１と、第１光源６１の光を、導光文字板１０の内壁入光部１１１ａの方向へ反射する文字板方向反射部３２、指針４０の方向へ第４の光Ｌｅを射出する指針方向射出部３３と、導光文字板１０の内壁入光部１１１ａに第１の光Ｌａを射出する文字板方向射出部３４と、後述する指針軸７１が挿通する指針軸挿通部３５と、を備えるものであり、第１光源６１の光を、導光文字板１０と、指針４０とに導くものである。また、本明細書及び図面において、第１光源６１から射出される光のうち、導光体３０によって導光文字板１０の方向へ導光される光を第１の光Ｌａ、同じく導光体３０によって指針４０の方向へ導光される光を第４の光Ｌｅと表現している。
【００２７】
収納部３１は、第１光源６１を覆う（所望の位置に収納する）ものであり、第１光源６１から発せられる光を逃すことなく、より多くの光を導光体３０内に取り込む。
【００２８】
文字板方向反射部３２は、図７（ｂ）に示すように、導光体３０の中心Ｏを軸とした双曲面などの曲面形状で形成され、収納部３１から入射した光を、第１の光Ｌａとして文字板方向射出部３４の方向へ反射する。本実施例においては、文字板方向反射部３２は、導光体３０の中心Ｏを中心とし、略全方向に設けられているが、光を反射させたい領域によって、適宜、文字板方向反射部３２を設ける領域を限定してもよい。
また、文字板方向反射部３２は、図７（ｃ）に示すように、円錐状や角錐面状（六角錐面，八角錐面等）に形成してもよい。
【００２９】
指針方向射出部３３は、文字板方向反射部３２のうち、導光体３０内を導光する光の文字板方向反射部３２に入射した際の角度が、臨界角以下であり、指針４０方向へ第４の光Ｌｅが射出される箇所である。指針方向射出部３３から指針４０方向へ射出される第４の光Ｌｅの量は、文字板方向反射部３２の形状により、適宜調節される。
【００３０】
文字板方向射出部３４は、導光文字板１０の指針軸挿通孔１１１の内壁に設けられた内壁入光部１１１ａの面に対し、略平行に配設され、文字板方向反射部３２の反射した第１の光Ｌａを内壁入光部１１１ａに向け、射出する箇所である。導光体３０の高さ方向である文字板方向射出部３４の厚さは、内壁入光部１１１ａの厚さと略同一となるように形成される。斯かる構成により、導光体３０から導光文字板１０への光の伝達の際の光漏れを抑制し、効率よく意匠を照明することができる。
【００３１】
指針軸挿通部３５は、後述する指針軸７１が挿通する部分であり、導光体３０の中心Ｏに貫通孔として設けられる。斯かる構成により、文字板方向射出部３４を略全方向へ設けることができ、光源からの光を、指針軸挿通部３５を中心に導光文字板１０の略全方向に対し射出することができ、より広範囲の意匠を効率よく照明することができる。
また、指針軸挿通部３５は、導光体３０の中心Ｏを中心とするものではなく、導光体３０の中心Ｏからオフセットした位置に設けられてもいい。
【００３２】
指針４０は、図６に示すように、指示部４１と、指針基部４２と、指針キャップ４３とから構成されている。指示部４１は、導光文字板１０の後述する指標意匠部１２１ａを指示し、第１光源６１からの第４の光Ｌｅを受けて光輝する。指針基部４２は、駆動ムーブメント７０に設けられた指針軸７１に固定される。この指針基部４２は指示部４１と透明な樹脂で一体に形成されている。指針キャップ４３は、遮光性の合成樹脂からなり、指針基部４２を覆うように具備されている。
【００３３】
回路基板５０は、光源６０やムーブメント７０を実装し、表示装置１の電気的な制御を行う制御部を有する。
【００３４】
光源６０は、回路基板５０に実装され、回路基板５０に対して垂直方向（表方向）に光を照射するトップビュー型からなる。光源６０は、導光体３０に光を射出する第１光源６１と、外側表示領域Ｅ２に配設され導光文字板１０の裏面から第２光透過射出部１２２を照明する第２光源６２、内側表示領域Ｅ１に配設され導光文字板１０の裏面から第３光透過射出部１２３を照明する第３光源６３と、から構成される。
【００３５】
ムーブメント７０は、回路基板５０に実装され、指針４０が装着される指針軸７１を備えている。指針軸７１は、導光文字板１０の指針軸挿通孔１１１の略中心に位置して貫通するとともに、その先端部分が導光文字板１０の表示面より上方に突出している。
【００３６】
装飾部材８０は、導光文字板１０の前面側に配設され、図４，図６に示すように、導光文字板１０の第１挿入部１１２及び第２挿入部１１３を覆う遮光性のリング形状の部材であり、導光文字板１０内を進行する第１の光Ｌａが、第１挿入部１１２及び第２挿入部１１３から漏れ出てしまった際に、視認者にその漏れ出た光を視認させないようにするものであり、照明の商品性を高めることができる。以上が、本実施形態における表示装置１の構成であり、以下に、導光文字板１０の表示装置１における作用と具体的構成について説明する。
【００３７】
導光文字板１０は、図６に示すように、透光性の導光部１１と、この導光部１１の表面に意匠を表示する意匠表示部１２と、光を拡散する光拡散部１３と、導光部１１の表面を覆う表面光調整部１４と、導光部１１の裏面を覆う裏面光調整部１５と、を備える。
また、導光文字板１０は、意匠表示部１２として図２に示すように、導光文字板１０内を進行する第１光源６１が射出する第１の光Ｌａにより光輝する第１光透過射出部１２１と、導光文字板１０の裏面に配設される第２光源６２が射出する第２の光Ｌｂに照明されて光輝する第２光透過射出部１２２と、導光文字板１０の裏面に配設される第３光源６３が射出する第３の光Ｌｃに照明されて光輝する第３光透過射出部１２３と、表示器９０を視認可能にする表示窓１２４と、を備え、視認者に対して所定の情報を提供する。
【００３８】
導光部１１は、透明又は半透明の透光性（半透光性を含む）を有する合成樹脂製の部材（例えばポリカーボネート板等）から形成される平板状の部材である。
導光部１１は、ムーブメント７０に設けられた指針軸７１とケース体２０に設けられた第１遮光壁２３が挿通し、指針４０の指針キャップ４３より径の小さい貫通孔である指針軸挿通孔１１１を有し、この指針軸挿通孔１１１の内壁である内壁入光部（入光部）１１１ａから第１光源６１が射出する第１の光Ｌａを取り込み、この内壁入光部１１１ａを中心として放射状に第１の光Ｌａを伝達するものである。
【００３９】
意匠表示部１２は、導光部１１の表面に設けられる意匠（文字、絵、図形、記号等）を表示する表示層であり、非透光性（遮光性）の遮光部１２ａと、光を透過して射出する透光部１２ｂと、により構成される。
遮光部１２ａは、導光部１１表面の第１光透過射出部１２１，第２光透過射出部１２２，第３光透過射出部１２３，表示窓１２４以外の領域に、遮光性のインク等を用いて、印刷，塗装等により塗りつぶして形成される。
【００４０】
透光部１２ｂは、遮光部１２ａを切り抜いた意匠の部分であり、透光性のインク等を用いて、印刷，塗装などによって形成される。また、透光部１２ｂは、遮光部１２ａと異なる色で形成し、光源からの光が射出されなくても意匠を視認できるようにしてもよい。また、透光部１２ｂを有色とすることで、透過した光を着色することができる。透光部１２ｂは、上述したように、導光文字板１０内を進行する第１光源６１が射出する第１の光Ｌａにより光輝する第１光透過射出部１２１と、導光文字板１０の裏面に配設される第２光源６２が射出する第２の光Ｌｂに照明されて光輝する第２光透過射出部１２２と、導光文字板１０の内側表示領域Ｅ１内の裏面に配設される第３光源６３が射出する第３の光Ｌｃに照明されて光輝する第３光透過射出部１２３と、表示器９０を視認可能にする表示窓１２４と、に設けられ、これらの透光部１２ｂから光を射出することにより、意匠（文字、絵、図形、記号等）を、視認者に対して表示する。
また、透光部１２ｂは、無色透明インクの印刷でもよく、また、遮光部１２ａを設けず透光性インクを印刷しない領域であってもよい。
【００４１】
光拡散部１３は、光拡散性を有する材料を用いて、印刷、塗装等によって導光部１１の前面及び裏面上に形成され、導光部１１が導光した第１の光Ｌａを拡散する。光拡散部１３は、明るく視認させたい第１光透過射出部１２１（図３（ａ）における後述する指標意匠部１２１ａ及び遠方意匠部１２１ｃに対応する位置に設けられる。
【００４２】
表面光調整部１４及び裏面光調整部１５は、導光部１１を挟んで、導光部１１の両面全体に亘って、その両面（適宜、光拡散部１３を含む）を覆うように設けられる。表面光調整部１４及び裏面光調整部１５は、透明又は半透明の透光性（半透光性を含む）を有し、導光部１１よりも光の屈折率が低い合成樹脂等を用いて、印刷、塗装等によって形成される低屈折率部材（図示しない）と光拡散性を有する拡散部材（図示しない）とで形成され、これら低屈折率部材と拡散部材とが印刷される面積割合に応じて、導光部１１内を反射する光の量及び導光部１１外に射出される光の量を調整する。低屈折率部材の面積割合を多くすると、導光部１１内を反射する光の量が多くなり、拡散部材の面積割合を多くすると、導光部１１外に射出される光の量が多くなる。
【００４３】
表面光調整部１４及び裏面光調整部１５は、光を射出する必要のない遮光部１２ａの裏面に設けられる場合、光を導光部１１外へ射出する必要はないので、低屈折率部材により形成し、拡散部材を設けないが、後述する表示面積の大きい加飾意匠部１２１ｂのように若干光輝させて表示させたい場合、図５（ａ）に示すように、遮光部１２ａを前面側に形成せずに（または若干透過する位に印刷し）、低屈折率部材に対する拡散部材の面積割合を増大させることで、導光部１１から少量の第１の光Ｌａを取り出し、加飾意匠部１２１ｂを低い輝度で光輝させる。
【００４４】
第２光透過射出部１２２は、外側表示領域Ｅ２に配設される意匠表示部１２であり、導光文字板１０の裏面に位置する第２光源６２から射出される第２の光Ｌｂを透過するものであり、第２光源６２から射出された第２の光Ｌｂが拡散や反射等されずに直接射出されるので、高輝度で表示でき、ユーザの目を引くことができる。
【００４５】
第３光透過射出部１２３は、第２内側表示領域Ｅ１ｂに配設される意匠表示部であり、第２光透過射出部１２２と同様に、導光文字板１０の裏面に位置する第３光源６３から射出される第３の光Ｌｃを透過するものであり、第３光源６３から射出された第３の光Ｌｃが拡散や反射等されずに直接射出されるので、高輝度で表示でき、ユーザの目を引くことができる。
【００４６】
第１光透過射出部１２１は、第１の光Ｌａが射出する領域であり、例えば図４に示すような指針４０が指示する数字や目盛りなどを示す指標意匠部１２１ａと、この指標意匠部１２１ａの周辺に設けられ、表示を加飾する加飾意匠部１２１ｂと、入光部１１１ａから最も離れた位置（第１，第２挿入部１１２，１１３に最も近い位置）に設けられるリング状の加飾意匠を表示する遠方意匠部１２１ｃなどを有する。
指標意匠部１２１ａや遠方意匠部１２１ｃなど明るく光輝させたい領域には、これらの意匠部に対応する箇所に光拡散部１３を配設し、加飾意匠部１２１ｂのように低い輝度で光輝させたい領域には、少なくとも表面光調整部１４または裏面光調整部１５のいずれかの低屈折率部材に対する拡散部材の面積割合を増大させ、前面側の表面に遮光部１２ａを配設させないようにする。
また、第１，第２挿入部１１２，１１３（第１，第２遮光壁２３，２４）に最も近い位置に設けられることになる遠方意匠部１２１ｃは、図６に示すように、第１，第２遮光壁２３，２４が反射した第１の光Ｌａの反射光Ｌｄも射出する。
【００４７】
遠方意匠部１２１ｃは、図４に示すように、指標意匠部１２１ａを取り巻く線状の意匠を表示するものであり、入光部１１１ａから指標意匠部１２１ａの大目盛Ｊへ連なる第１の光Ｌａの光路の延長線上に遠方意匠補正部１２１ｄを有する。この遠方意匠補正部１２１ｄについて、図８乃至１０を用いて以下に説明する。図８（ａ），図９（ａ），図１０（ａ）は、導光文字板１０の遠方意匠補正部１２１ｄ部分の断面図であり、図８（ｃ），図９（ｃ），図１０（ｃ）のＢ−Ｂ’断面図である。また、図８（ｂ），図９（ｂ），図１０（ｂ）は、導光文字板１０の遠方意匠部１２１ｃ部分の断面図であり、図８（ｃ），図９（ｃ），図１０（ｃ）のＣ−Ｃ’断面図である。また、図８（ｃ），図９（ｃ），図１０（ｃ）は、導光文字板１０の正面図であり、遠方意匠部１２１ｃとこの遠方意匠部１２１ｃに対応して設けられる光拡散部１３との関係、及び遠方意匠補正部１２１ｄとこの遠方意匠補正部１２１ｄに対応して設けられる補正光拡散部１３ａ，１３ｂ，１３ｃとの関係、を説明する図である。
【００４８】
遠方意匠補正部１２１ｄに対応して設けられる補正光拡散部１３ａの入光部１１１ａに向かう方向の幅Ｄ１１（図８（ａ））は、遠方意匠補正部１２１ｄ以外の遠方意匠部１２１ｃに対応して設けられる光拡散部１３の入光部１１１ａ方向の幅Ｄ２１（（図８（ｂ）））より太くなるように形成される。
さらに、遠方意匠補正部１２１ｄの表面に設けられる透光部１２ｂの幅Ｆ１１は、遠方意匠補正部１２１ｄ以外の遠方意匠部１２１ｃの表面側に設けられる透光部１２ｂの幅Ｆ２１と同じ太さになるように形成する。斯かる構成により、遠方意匠補正部１２１ｄは、補正光拡散部１３ａにより、他の光拡散部１３より広い範囲に第１の光Ｌａを多く射出させることができるため、導光される光量が少ない箇所（遠方意匠補正部１２１ｄ）でも、他の箇所（遠方意匠補正部１２１ｄ以外の遠方意匠部１２１ｃ）同様に明るく視認させることができ、視認される線状の意匠の太さも他の箇所の太さ同様に視認させることができ、意匠の見栄えを良好にすることができる。また、遠方意匠補正部１２１ｄの透光部１２ｂの幅Ｆ１１と遠方意匠補正部１２１ｄ以外の遠方意匠部１２１ｃの透光部１２ｂの幅Ｆ２１が略同一なので、第１光源６１が点灯しない場合、略同幅の透光部１２ｂが視認されることになり、昼間など遠方意匠部１２１ｃを光輝させない場合でも、視認される遠方意匠補正部１２１ｄの太さも他の箇所（遠方意匠補正部１２１ｄ以外の遠方意匠部１２１ｃ）の太さと同等に視認させることができる。
【００４９】
また、図９に示すように、遠方意匠補正部１２１ｄに対応して設けられる補正光拡散部１３ｂの入光部１１１ａに向かう方向の幅Ｄ１２を、遠方意匠補正部１２１ｄの表面に設けられる透光部１２ｂの入光部１１１ａに向かう方向の幅Ｆ１２より大きくなるように形成してもよい。斯かる構成により、遠方意匠補正部１２１ｄは、補正光拡散部１３ｂにより、図８に記載のものに比べてさらに多くの第１の光Ｌａを射出させることができるため、導光される光量が少ない箇所（遠方意匠補正部１２１ｄ）でも、他の箇所（遠方意匠補正部１２１ｄ以外の遠方意匠部１２１ｃ）同様に明るく視認させることができ、視認される線状の意匠の太さも他の箇所の太さ同様に視認させることができ、意匠の見栄えを良好にすることができる。
【００５０】
また、遠方意匠補正部１２１ｄにおいて、図１０（ａ）に示すように、補正光拡散部１３ａの入光部１１１ａに向かう方向の幅Ｄ１３と、透光部１２ｂの入光部１１１ａに向かう方向の幅Ｆ１３とが同等となるよう形成し、さらに、遠方意匠補正部１２１ｄ以外の遠方意匠部１２１ｃを、図１０（ｂ）に示すように、光拡散部１３の入光部１１１ａに向かう方向の幅Ｄ２３と、透光部１２ｂの入光部１１１ａに向かう方向の幅Ｆ２３とが同等になるように形成してもよい。
また、このような構成において、遠方意匠部１２１ｃを光輝させずに視認する場合、遠方意匠補正部１２１ｄとこの遠方意匠補正部１２１ｄ以外の遠方意匠部１２１ｃの太さが異なって視認されてしまうが、導光文字板１０の表側に光透過率の低いスモーク部材などからなる光調整パネルを設けることにより、遠方意匠部１２１ｃを光輝させないときは、この遠方意匠部１２１ｃを視認しづらくし、視認者が感じる遠方意匠補正部１２１ｄとこの遠方意匠補正部１２１ｄ以外の遠方意匠部１２１ｃの太さの違いを感じにくくすることができる。
【００５１】
以上が、本実施形態における表示部材１０及び表示装置１の構成であり、このように、本実施形態の表示部材１０は、第１光源６１からの光を内部に取り込む入光部１１１ａと、入光部１１１ａから取り込んだ第１の光Ｌａを導光する面状の導光部１１と、この導光部１１により導光した第１の光Ｌａを透過して意匠を表示する光透過射出部（指標意匠部）１２１ａと、この指標意匠部１２１ａよりも入光部１１１ａから離れた位置に配設され、導光部１１により導光した第１の光Ｌａを透過して意匠を表示する遠方光透過射出部（遠方意匠部）１２１ｃと、遠方意匠部１２１ｃ及び指標意匠部１２１ａに対応した位置に配設され、導光部１１内の第１の光Ｌａを拡散する光拡散部１３と、を備える表示部材（導光文字板）１０において、
遠方意匠部１２１ｃに対応して配設される光拡散部１３は、該遠方意匠部１２１ｃ近傍の指標意匠部１２１ａに対応して設けられる光拡散部１３の量が多い場合、入光部１１１ａに向かう方向の幅Ｄ１１，Ｄ１２，Ｄ１３を、他の遠方意匠部１２１ｃに対応して設けられる光拡散部１３の幅Ｄ２１，Ｄ２２，Ｄ２３より太くするものであり、斯かる構成により、遠方意匠補正部１２１ｄは、補正光拡散部１３ａにより、他の光拡散部１３より広い範囲に第１の光Ｌａを多く射出させることができるため、導光される光量が少ない箇所（遠方意匠補正部１２１ｄ）でも、他の箇所（遠方意匠補正部１２１ｄ以外の遠方意匠部１２１ｃ）同様に明るく視認させることができ、視認される線状の意匠の太さも他の箇所の太さ同様に視認させることができ、意匠の見栄えを良好にすることができる。
【００５２】
また、本実施形態の表示部材１０は、遠方意匠補正部１２１ｄの透光部１２ｂの幅Ｆ１１（Ｆ１２）は、この遠方意匠補正部１２１ｄ以外の遠方意匠部１２１ｃの透光部１２ｂの幅Ｆ２１（Ｆ２２）と略同等の幅であり、この遠方意匠部１２１ｃの透光部１２ｂの幅Ｆ１１，Ｆ１２，Ｆ２１，Ｆ２２は、遠方意匠補正部１２１ｄ以外の遠方意匠部１２１ｃに配設される光拡散部１３の幅Ｄ２１，Ｄ２２よりも太く形成されるものであり、斯かる構成により、第１光源６１が点灯しない場合、略同幅の遠方意匠部１２１ｃが視認されることになり、昼間など遠方意匠部１２１ｃを光輝させない場合でも、視認される遠方意匠補正部１２１ｄの太さも他の箇所（遠方意匠補正部１２１ｄ以外の遠方意匠部１２１ｃ）の太さと同等に視認させることができる。
【００５３】
また、本実施形態の表示部材１０は、遠方意匠表示部１２１ｃの透光部１２ｂの幅Ｆ１２は、遠方意匠部１２１ｃに対応して配設される光拡散部１３の太い幅（遠方意匠補正部１２１ｄの補正光拡散部１３ｂの幅）Ｄ１２よりも細くするものであり、このように、遠方意匠補正部１２１ｄの透光部１２ｂの幅Ｆ１２よりも遠方意匠補正部１２１ｄの補正光拡散部１３ｂを太くすることで、遠方意匠補正部１２１ｄの隅々から補正光拡散部１３ｂにより拡散される第１の光Ｌａを多く射出させることができ、意匠の見栄えを良好にすることができる。
【００５４】
また、本実施形態の表示部材１０は、入光部１１１ａは、導光部１１に設けられた貫通穴の内壁に設けられ、光透過射出部（指標意匠部）１２１ａ及び遠方光透過射出部（遠方意匠部）１２１ｃは、貫通穴を略中心とした円または円弧状に配設されるものであり、このように意匠の中心から光を入光することで意匠全体を均一な輝度で光輝させることができ、意匠の見栄えを良好にすることができる。
【００５５】
また、本実施形態の表示部材１０は、遠方光透過射出部（遠方意匠部）１２１ｃよりも入光部１１１ａから離れた位置に、遠方意匠部１２１ｃに沿う穴部（第１，２挿入部）１１２，１１３を設けるものであり、斯かる構成により、穴部１１２，１１３に反射面（第１の反射面２４ｐなど）を有する部材（ケース体２０など）を挿入することができるので、反射面にて反射した反射光Ｌｄにより、遠方意匠部１２１ｃの輝度を向上させることができ、特に遠方意匠補正部１２１ｄに反射光Ｌｄを反射させることで、導光される光量が少ない箇所（遠方意匠補正部１２１ｄ）でも、他の箇所（遠方意匠補正部１２１ｄ以外の遠方意匠部１２１ｃ）同様に明るく視認させることができ、視認される線状の意匠の太さも他の箇所の太さ同様に視認させることができ、意匠の見栄えを良好にすることができる。
【符号の説明】
【００５６】
１    表示装置
１０    導光文字板
１１    導光部
１２    意匠表示部
１２ａ  遮光部
１２ｂ  透光部
１３    光拡散部
１４    表面光調整層
１５    裏面光調整層
２０    ケース体
２１    第１仕切り部
２２    載置部
２３    第１遮光壁
２４    第２遮光壁
２４ａ  切り欠き部
２４ｐ  第１の反射面
２５    第３遮光壁
２６    第２仕切り部
２７    第３仕切り部
２８    表示器装着孔
３０    導光体
３１    収納部
３２    文字板方向反射部
３３    指針方向射出部
３４    文字板方向射出部
３５    指針軸挿通部
４０    指針
４１    指示部
４２    指針基部
４３    指針キャップ
５０    回路基板
６０    光源
７０    ムーブメント
７１    指針軸
８０    装飾部材
９０    表示器
１１１    指針軸挿通孔
１１１ａ  内壁入光部（入光部）
１１２    第１挿入部（穴部）
１１２ａ  連結部
１１３    第２挿入部（穴部）
１２１    第１光透過射出部
１２１ａ  指標意匠部
１２１ｂ  加飾意匠部
１２１ｃ  遠方意匠部（遠方光透過射出部）
１２１ｄ  遠方意匠補正部
１２２    第２光透過射出部
１２３    第３光透過射出部
【図１】
2015004529.tif 000003
【図２】
2015004529.tif 000004
【図３】
2015004529.tif 000005
【図４】
2015004529.tif 000006
【図５】
2015004529.tif 000007
【図６】
2015004529.tif 000008
【図７】
2015004529.tif 000009
【図８】
2015004529.tif 000010
【図９】
2015004529.tif 000011
【図１０】
2015004529.tif 000012
【図１１】
2015004529.tif 000013